(57)【要約】      （修正有）【課題】外力が印加されたときでもその元の形状に容易に回復することが可能な内側シェルを含むマスクを提供する。【解決手段】マスク１はマスク１の形状を維持するための内側シェル２００と、内側シェル２００の外面に結合され、空気濾過機能を実行するフィルタ構造１００とからなる。内側シェル２００は、縁部を形成する円周部分２００ａと、円周部分２００ａの内側にアーチ状に形成された湾曲部分２００ｂと、湾曲部分２００ｂのピーク領域から円周部分２００ａの方へ径方向に突出するように形成された複数のリブ２１０とを含み、円周部分２００ａ、湾曲部分２００ｂ、及びリブ２１０は、多孔質材料から形成されたシート部材として一体形成されている。【選択図】図２
2019088785.tif 000002
【特許請求の範囲】
【請求項１】
マスクの形状を維持するために提供され、カップ状に形成されている内側シェルであって、
縁部を形成する円周部分と、
前記円周部分の内側にアーチ状に形成された湾曲部分と、
前記湾曲部分のピーク領域から前記円周部分の方へ径方向に突出するように形成された複数のリブとを備え、
前記円周部分、前記湾曲部分、及び前記リブが、多孔質材料から形成されたシート部材として一体形成されている、内側シェル。
【請求項２】
前記複数のリブのそれぞれの一方の端部が、前記ピーク領域の内側部分で他のリブの端部に接触するように形成されている、請求項１に記載の内側シェル。
【請求項３】
前記複数のリブが、左側に形成されたリブ及び右側に形成されたリブが前記内側シェルの垂直方向中心線に対して対称になるように形成されている、請求項１に記載の内側シェル。
【請求項４】
前記複数のリブが、上側に形成されたリブ及び下側に形成されたリブが前記内側シェルの水平方向中心線に対して対称になるように形成されている、請求項１に記載の内側シェル。
【請求項５】
マスクの形状を維持するために提供され、カップ状に形成されている内側シェルであって、
縁部を形成する円周部分と、
前記円周部分の内側にアーチ状に形成され、外面に形成された平坦な部分を有する湾曲部分と、
前記平坦な部分の縁部から前記円周部分の方へ径方向に突出するように形成された複数のリブとを備え、
前記円周部分、前記湾曲部分、及び前記リブが、多孔質材料から形成されたシート部材として一体形成されている、内側シェル。
【請求項６】
前記平坦な部分が、前記湾曲部分のピーク領域に形成されている、請求項５に記載の内側シェル。
【請求項７】
前記平坦な部分が、前記内側シェルの水平方向中心線又は前記内側シェルの垂直方向中心線から一方の側へ傾くように形成されている、請求項５に記載の内側シェル。
【請求項８】
前記平坦な部分に穿孔が形成されている、請求項５に記載の内側シェル。
【請求項９】
前記円周部分、前記湾曲部分、及び前記リブが、前記シート部材をホットプレスすることによって形成されている、請求項１に記載の内側シェル。
【請求項１０】
前記複数のリブ間に凹面部分が形成され、
前記凹面部分が、その幅が前記円周部分に向かって累進的に増大するように設けられている、
請求項１に記載の内側シェル。
【請求項１１】
前記シート部材が、不織布によって提供されている、請求項１に記載の内側シェル。
【請求項１２】
前記不織布が、ポリエステル短繊維から形成されている、請求項１１に記載の内側シェル。
【請求項１３】
請求項１に記載の内側シェルと、
前記内側シェルの外面に結合されたフィルタ構造と
を備えるマスク。
【請求項１４】
請求項５に記載の内側シェルと、
前記内側シェルの外面に結合されたフィルタ構造と、
前記フィルタ構造に結合された弁とを備え、
前記平坦な部分が、前記弁に対応する位置に形成されている、
マスク。
【請求項１５】
前記平坦な部分が、前記弁及び前記フィルタ構造が接触する領域より大きい領域を有するように形成されている、請求項１４に記載のマスク。
【発明の詳細な説明】
【発明の詳細な説明】
【０００１】
［技術分野］
本開示は、内側シェル及び内側シェルを含むマスクに関する。
【０００２】
［背景］
使用者の呼吸経路への不純物又は汚染物質の侵入を防止するために使用されるマスクは、別個のフィルタ部分を含むマスクと、マスク本体自体がフィルタとして機能するフィルタフェースマスクとに分類することができる。
【０００３】
この場合、概してフィルタフェースマスクは、２つの異なる構造を有するマスク、すなわち平らに折り畳めるマスクと、成形マスクとに分類することができる。平らに折り畳めるマスクは、マスクが平坦な状態で保管されるが、使用の際はカップ状に広げられる構造を有し、成形マスクは、マスクが顔にフィットする構成を有し、したがってマスクは所定の形状、たとえばカップ状で製造され、保管及び使用中にそのような形状を維持する構造を有する。
【０００４】
成形マスクは、その形状を維持するために別個の支持構造を含むことができ、支持構造の外面に積層されたフィルタとして機能するシート部材によって製造することができる。
【０００５】
一方、成形マスクに関しては、マスクの形状を維持することがマスクの性能の重要な要因に対応するため、外力が印加されたために成形マスクが変形した場合に成形マスクをその元の形状に回復させることが可能な構造に関する研究が実施されてきた。
【０００６】
［概要］
本開示の目的は、外力が印加されたときでもその元の形状に容易に回復することが可能な内側シェル及び内側シェルを含むマスクを提供することである。
【０００７】
マスクの形状を維持するために提供される本開示の一実施形態による内側シェルは、縁部を形成する円周部分と、円周部分の内側にアーチ状に形成された湾曲部分と、湾曲部分のピーク領域から円周部分の方へ径方向に突出するように形成された複数のリブとを含み、円周部分、湾曲部分、及びリブは、多孔質材料から形成されたシート部材として一体形成することができる。
【０００８】
本開示の他の実施形態によるマスクはまた、本開示の一実施形態による内側シェルと、内側シェルの外面に結合されたフィルタ構造とを含むことができる。
【０００９】
本開示の一実施形態による内側シェル及び内側シェルを含むマスクは、外力が印加されたときでもその元の形状に容易に回復することができる。
【図面の簡単な説明】
【００１０】
【図１】本開示の一実施形態によるマスクの斜視図である。
【図２】本開示の本実施形態によるマスクの分解斜視図である。
【図３】本開示の本実施形態によるマスク内に提供された内側シェルの斜視図である。
【図４】図３に示す内側シェルの平面図である。
【図５】図３の線Ａ−Ａ’に沿って切り取った横断面図である。
【図６】本開示の他の実施形態によるマスクの斜視図である。
【図７】本開示の他の実施形態によるマスクの分解斜視図である。
【図８】本開示の他の実施形態によるマスク内に提供された内側シェルの斜視図である。
【図９】図７に示す内側シェルの平面図である。
【図１０】図８の線Ｂ−Ｂ’に沿って切り取った横断面図である。
【図１１Ａ】本開示の他の実施形態によるマスク内に形成された平坦な部分の修正例を示す平面図である。
【図１１Ｂ】本開示の他の実施形態によるマスク内に形成された平坦な部分の修正例を示す平面図である。
【００１１】
［詳細な説明］
以下、本開示の概念を実施する特有の実施形態について、添付の図面を参照して詳細に説明する。この場合、説明の便宜上、図面は原寸に比例して描かれたものではないことに留意されたい。加えて、本開示について説明する上で、関連する周知の構成又は機能の詳細な説明が本開示の要旨を曖昧にする可能性があると考えられるとき、その詳細な説明は省略する。
【００１２】
図１は、本開示の一実施形態によるマスクの斜視図であり、図２は、本開示の本実施形態によるマスクの分解斜視図である。
【００１３】
図１及び図２を参照すると、本開示の本実施形態によるマスク１は、所定の形状で製造され、保管及び使用中に形状を維持することが可能な成形マスクとして提供することができる。たとえば、マスク１は、アーチ状に形成された外面を有することができ、全体としてカップの形状を有するように製造することができる。
【００１４】
マスク１は、マスク１の形状を維持するために提供された内側シェル２００と、内側シェル２００の外面に結合され、空気濾過機能を実行するように構成されたフィルタ構造１００とを含むことができる。
【００１５】
フィルタ構造１００は、フィルタ構造１００を通過する空気から不純物を除去して空気を濾過するために提供され、マスク１の外面を形成することができ、後述するように、フィルタ構造１００の円周部分１００ａを内側シェル２００の円周部分２００ａに結合することができる。このとき、フィルタ構造１００の円周部分及び内側シェル２００の円周部分２００ａは、様々な結合方法、たとえば熱溶接又は超音波溶接方法を使用して結合することができる。
【００１６】
フィルタ構造１００は、複数のシートが積層されている多層形状で製造することができる。たとえば、フィルタ構造１００は、空気を濾過するために提供されるフィルタ層１１０と、フィルタ層１１０の外面に結合され、フィルタ層１１０を保護し、フィルタ層１１０が内側シェル２００から隔置されるのを防止するように構成されたカバーウェブ１２０とを含むことができる。本実施形態では、カバーウェブ１２０がフィルタ層１１０の外面のみに配置された構成だけが示されている。しかし、カバーウェブ１２０は、フィルタ層１１０の内面及び外面の両方に配置することもでき、場合により、カバーウェブ１２０を省略することもできる。
【００１７】
フィルタ層１１０は、典型的に求められる濾過作用を実現することが可能な繊維材料から形成されたフィルタとして提供することができる。フィルタ層１１０はまた、接着剤又は任意の結合手段によってともに結合されている繊維材料から形成された複数のフィルタが必要に応じて積層される形態で提供することができる。
【００１８】
一方、フィルタ構造１００に別個のストラップ１３０を結合することができ、使用者は、ストラップ１３０を自身の耳に掛けることによってマスク１を着用することができる。
【００１９】
内側シェル２００は、マスク１の全体的な形状を維持するために、フィルタ構造１００の内側に設けることができる。以下、本開示の本実施形態によるマスク１内に提供される内側シェル２００の特有の構成について、図３〜５をさらに参照して説明する。
【００２０】
図３は、本開示の本実施形態によるマスク内に提供された内側シェルの斜視図であり、図４は、図３に示す内側シェルの平面図であり、図５は、図３の線Ａ−Ａ’に沿って切り取った横断面図である。図３〜５をさらに参照すると、内側シェル２００は、マスク１の形状を維持するために提供される部材であり、フィルタ構造１００の内面に結合することができる。ここで、結合は、内側シェル２００の湾曲部分２００ｂ及びフィルタ構造１００の中心部分を互いに付着させるのではなく、内側シェル２００の円周部分２００ａをフィルタ構造１００の円周部分１００ａの内面に熱溶接又は超音波溶接することによって実行することができる。
【００２１】
内側シェル２００は、多孔質材料から形成されたシート部材をホットプレスすることによって製造することができ、縁部を形成する円周部分２００ａと、円周部分２００ａの内側にアーチ状に形成された湾曲部分２００ｂと、湾曲部分２００ｂのピーク領域から円周部分２００ａの方へ径方向に突出するように形成された複数のリブ２１０とを含むことができる。このとき、内側シェル２００がシート部材をホットプレスすることによって製造されるとき、円周部分２００ａ、湾曲部分２００ｂ、及びリブ２１０を一体形成することができる。たとえば、湾曲部分２００ｂ及びリブ２１０の形状を内側シェル２００に刻み込むことができ、カップ状の内側シェル２００は、多孔質材料から形成されたシート部材をホットプレスすることによって製造される。ここで、ピーク領域とは、円周部分２００ａが平坦面に接触する状態でマスク１の円周部分２００ａが配置されたときの湾曲部分２００ｂの最高点を指す。
【００２２】
シート部材は、多孔質材料から形成された不織布によって提供することができる。たとえば、不織布は、ポリエステル短繊維から形成することができる。
【００２３】
円周部分２００ａは、内側シェル２００の縁部を画定することができ、円周部分２００ａには、使用者の顔に付着する顔付着部分３００を結合することができる。顔付着部分３００は、延性を有する繊維材料を使用して製造することができ、顔付着部分３００が円周部分２００ａに結合されることによって、使用者がマスク１を着用するときの着用性を改善することができる。
【００２４】
湾曲部分２００ｂは、円周部分２００ａの内側にアーチ状に形成することができ、複数のリブ２１０は、湾曲部分２００ｂに形成することができる。ここで、リブ２１０は、シート部材をホットプレスすることによって形成することができる。
【００２５】
リブ２１０は、湾曲部分２００ｂの剛性及び回復力を増大させるように形成することができる。言い換えれば、リブ２１０が設けられることによって、外力に対する湾曲部分２００ｂの剛性を増大させることができ、外力のために湾曲部分２００ｂが変形したときでも、湾曲部分２００ｂはその元の形状に容易に回復することができる。したがって、内側シェル２００及び内側シェル２００を含むマスク１は、外力が印加されたときでもその形状を維持することができ、形状が変形したときでもその元の形状に容易に回復することができる。
【００２６】
リブ２１０は、湾曲部分２００ｂのピーク領域から円周部分２００ａの方へ径方向に形成することができ、これによって複数のリブ２１０間に凹面部分２２０を形成することができる。凹面部分２２０は、リブ２１０によって区切られた空間であり、リブ２１０の形状に対応して形成することができる。たとえば、凹面部分２２０は、その幅が円周部分２００ａに向かって累進的に増大するように設けることができる。
【００２７】
複数のリブ２１０を形成することができ、ピーク領域で複数のリブ２１０のそれぞれの一方の端部を他のリブ２１０の端部に接続することができる。
【００２８】
複数のリブ２１０は、内側シェル２００の垂直方向中心線Ｌ１に対して垂直方向に対称になるように形成することができる。さらに、複数のリブ２１０は、内側シェル２００の水平方向中心線Ｌ２に対して水平方向に対称になるように設けることができる。リブ２１０と同様に、凹面部分２２０も、内側シェル２００の垂直方向中心線Ｌ１又は水平方向中心線Ｌ２に対して対称になるように形成することができる。しかし、リブ２１０及び凹面部分２２０の形状は、それらの形状が湾曲部分２００ｂの剛性及び回復力を増大させることが可能な形状に対応する限り、様々な形状に変更することができる。
【００２９】
リブ２１０は、シート部材をホットプレスすることによって形成される。リブ２１０の厚さｄ１は、シート部材の厚さ及びホットプレスの程度に応じて様々な値を有することができる。たとえば、リブ２１０の厚さｄ１は、０．５ｍｍ〜１．５ｍｍの範囲内とすることができる。
【００３０】
したがって、内側シェル２００にリブ２１０を形成することによって、外力に対する本開示の本実施形態によるマスク１の剛性及び回復力を改善することができる。
【００３１】
以下、本開示の他の実施形態によるマスク１について、図６〜１１を参照して説明する。
【００３２】
図６は、本開示の他の実施形態によるマスクの斜視図であり、図７は、本開示の他の実施形態によるマスクの分解斜視図であり、図８は、本開示の他の実施形態によるマスク内に提供された内側シェルの斜視図であり、図９は、図７に示す内側シェルの平面図であり、図１０は、図８の線Ｂ−Ｂ’に沿って切り取った横断面図であり、図１１Ａ及び図１１Ｂは、本開示の他の実施形態によるマスク内に形成された平坦な部分の修正例を示す平面図である。
【００３３】
図６〜１１を参照すると、本開示の他の実施形態によるマスク１は、マスク１の形状を維持するために提供された内側シェル２００と、内側シェル２００の外面に結合され、空気濾過機能を実行するように構成されたフィルタ構造１００と、フィルタ構造１００に結合された弁１４０とを含むことができる。
【００３４】
フィルタ構造１００は、フィルタ構造１００を通過する空気から不純物を除去して空気を濾過するために提供され、マスク１の外面を形成することができ、後述するように、フィルタ構造１００の円周部分１００ａを内側シェル２００の円周部分２００ａに結合することができる。このとき、フィルタ構造１００の円周部分１００ａ及び内側シェル２００の円周部分２００ａは、様々な結合方法、たとえば熱溶接又は超音波溶接方法を使用して結合することができる。
【００３５】
フィルタ構造１００は、複数のシートが積層されている多層形状で製造することができる。たとえば、フィルタ構造１００は、空気を濾過するために提供されるフィルタ層１１０と、フィルタ層１１０の外面に結合され、フィルタ層１１０を保護し、フィルタ層１１０が内側シェル２００から隔置されるのを防止するように構成されたカバーウェブ１２０とを含むことができる。本実施形態では、カバーウェブ１２０がフィルタ層１１０の外面のみに配置された構成だけが示されている。しかし、カバーウェブ１２０は、フィルタ層１１０の内面及び外面の両方に配置することもでき、場合により、カバーウェブ１２０を省略することもできる。
【００３６】
フィルタ層１１０は、典型的に求められる濾過作用を実現することが可能な繊維材料から形成されたフィルタとして提供することができる。フィルタ層１１０はまた、接着剤又は任意の結合手段によってともに結合されている繊維材料から形成された複数のフィルタが必要に応じて積層される形態で提供することができる。
【００３７】
一方、弁１４０は、フィルタ構造１００の外面に設けることができる。弁１４０は、使用者がマスク１を着用しながら呼吸する場合に容易な呼吸を助けるために提供され、１つの方向の空気の流れのみを可能にする一方向弁として提供することができる。たとえば、弁１４０は、使用者が息を吸い込むと閉じ、使用者が息を吐き出すと開く一方向弁として提供することができる。したがって、使用者が息を吸い込むと、フィルタ構造１００を介して外の空気を濾過し、次いで弁１４０を通過することなくマスク１の内側へ導入することができ、使用者が息を吐き出すと、弁１４０及びフィルタ構造１００の両方を介して外へ空気を放出することができる。
【００３８】
フィルタ構造１００の弁１４０が結合される部分に、開口１５０を形成することができ、開口１５０は、後述するように、内側シェル２００に形成された穿孔２３０ａと連通することができる。フィルタ構造１００に形成された開口１５０は、それぞれカバーウェブ１２０及びフィルタ層１１０に形成された開口１５０ａ及び１５０ｂを含むことができる。開口１５０及び穿孔２３０ａは、空気が流れることができる経路を形成することができる。
【００３９】
一方、フィルタ構造１００に別個のストラップ１３０を結合することができ、使用者は、ストラップ１３０を自身の耳に掛けることによってマスク１を着用することができる。
【００４０】
内側シェル２００は、マスク１の全体的な形状を維持するために、フィルタ構造１００の内側に設けることができる。
【００４１】
内側シェル２００は、マスク１の形状を維持するために提供される部材であり、フィルタ構造１００の内面に結合することができる。ここで、内側シェル２００及びフィルタ構造１００は、内側シェル２００の湾曲部分２００ｂ及びフィルタ構造１００の中心部分を互いに付着させるのではなく、内側シェル２００の円周部分２００ａをフィルタ構造１００の円周部分１００ａの内面に熱溶接又は超音波溶接することによって結合することができる。
【００４２】
内側シェル２００は、多孔質材料から形成されたシート部材をホットプレスすることによって製造することができ、縁部を形成する円周部分２００ａと、円周部分２００ａの内側にアーチ状に形成された湾曲部分２００ｂと、湾曲部分２００ｂの外面に形成され、円周部分２００ａの方へ径方向に突出するように形成された複数のリブ２１０とを含むことができる。このとき、内側シェル２００がシート部材をホットプレスすることによって製造されるとき、円周部分２００ａ、湾曲部分２００ｂ、及びリブ２１０を一体形成することができる。たとえば、湾曲部分２００ｂ及びリブ２１０の形状を内側シェル２００に刻み込むことができ、カップ状の内側シェル２００は、多孔質材料から形成されたシート部材をホットプレスすることによって製造される。
【００４３】
シート部材は、多孔質材料から形成された不織布によって提供することができる。たとえば、不織布は、ポリエステル短繊維から形成することができる。
【００４４】
円周部分２００ａは、内側シェル２００の縁部を画定することができ、円周部分２００ａには、使用者の顔に付着する顔付着部分３００を結合することができる。顔付着部分３００は、延性を有する繊維材料を使用して製造することができ、顔付着部分３００が円周部分２００ａに結合されることによって、使用者がマスク１を着用するときの着用性を改善することができる。
【００４５】
湾曲部分２００ｂは、円周部分２００ａの内側にアーチ状に形成することができ、平坦な部分２３０及び複数のリブ２１０は、湾曲部分２００ｂの外面に形成することができる。ここで、平坦な部分２３０及びリブ２１０は、シート部材をホットプレスすることによって形成することができる。
【００４６】
平坦な部分２３０は、フィルタ構造１００に結合された弁１４０に対応する位置に形成することができる。したがって、平坦な部分２３０が形成される位置は、弁１４０が設けられる位置に対応する様々な位置に変更することができる。また、平坦な部分２３０の形状及び弁１４０の形状も互いに対応することができる。たとえば、弁１４０がフィルタ構造１００の中心部分に形成されるとき、平坦な部分２３０は、湾曲部分２００ｂのピーク領域に形成することができ（図９参照）、弁１４０がフィルタ構造１００の中心部分から一方の側へ傾くように形成されるとき、それに対応して、平坦な部分２３０も内側シェル２００の垂直方向中心線Ｌ１から一方へ傾くように形成することができ（図１１Ａ参照）、又は水平方向中心線Ｌ２から一方へ傾くように形成することができる（図１１Ｂ参照）。平坦な部分２３０が存在するとき、マスクの製造中の弁１４０の結合を容易にすることができる。穿孔２３０ａは、平坦な部分２３０に形成することができる。穿孔２３０ａは、使用者が息を吐き出すと空気が外へ容易に放出されるように設けられる。使用者によって放出される空気は、内側シェル２００の穿孔２３０ａ、フィルタ構造１００の開口１５０、及び弁１４０を順次通過することによって外へ放出することができる。
【００４７】
弁１４０の配置を容易にするために、平坦な部分２３０は、弁１４０及びフィルタ構造１００が接触する領域より大きい領域を有するように形成することができる。
【００４８】
リブ２１０は、湾曲部分２００ｂの剛性及び回復力を増大させるように形成することができる。言い換えれば、リブ２１０が設けられることによって、外力に対する湾曲部分２００ｂの剛性を増大させることができ、外力のために湾曲部分２００ｂが変形したときでも、湾曲部分２００ｂはその元の形状に容易に回復することができる。
【００４９】
リブ２１０は、平坦な部分２３０の縁部から円周部分２００ａの方へ径方向に形成することができ、これによってリブ２１０間に凹面部分２２０を形成することができる。凹面部分２２０は、リブ２１０によって区切られた空間であり、リブ２１０の形状に対応して形成することができる。たとえば、凹面部分２２０は、その幅が円周部分２００ａに向かって累進的に増大するように設けることができる。複数のリブ２１０を形成することができ、複数のリブ２１０は、内側シェル２００の垂直方向中心線Ｌ１に対して垂直方向に対称になるように形成することができる。さらに、複数のリブ２１０は、内側シェル２００の水平方向中心線Ｌ２に対して水平方向に対称になるように設けることができる。リブ２１０と同様に、凹面部分２２０も、内側シェル２００の垂直方向中心線Ｌ１又は水平方向中心線Ｌ２に対して対称になるように形成することができる。しかし、リブ２１０及び凹面部分２２０の形状は、それらの形状が湾曲部分２００ｂの剛性及び回復力を増大させることが可能な形状に対応する限り、様々な形状に変更することができる。
【００５０】
リブ２１０は、シート部材をホットプレスすることによって形成される。リブ２１０の厚さｄ１は、シート部材の厚さ及びホットプレスの程度に応じて様々な値を有することができる。たとえば、リブ２１０の厚さｄ１は、７ｍｍ〜１１ｍｍの範囲内とすることができる。
【００５１】
したがって、内側シェル２００にリブ２１０を形成することによって、外力に対する本開示の本実施形態によるマスク１の剛性及び回復力を改善することができる。
【００５２】
以下は、本開示の実施形態の一覧である。
【００５３】
項目１は、縁部を形成する円周部分と、円周部分の内側にアーチ状に形成された湾曲部分と、湾曲部分のピーク領域から円周部分の方へ径方向に突出するように形成された複数のリブとを含み、円周部分、湾曲部分、及びリブが、多孔質材料から形成されたシート部材として一体形成されている、内側シェルである。
【００５４】
項目２は、複数のリブのそれぞれの一方の端部が、ピーク領域の内側部分で他のリブの端部に接触するように形成されている、内側シェルである。
【００５５】
項目３は、複数のリブが、左側に形成されたリブ及び右側に形成されたリブが内側シェルの垂直方向中心線に対して対称になるように形成されている、内側シェルである。
【００５６】
項目４は、複数のリブが、上側に形成されたリブ及び下側に形成されたリブが内側シェルの水平方向中心線に対して対称になるように形成されている、内側シェルである。
【００５７】
項目５は、縁部を形成する円周部分と、円周部分の内側にアーチ状に形成され、外面に形成された平坦な部分を有する湾曲部分と、平坦な部分の縁部から円周部分の方へ径方向に突出するように形成された複数のリブとを含み、円周部分、湾曲部分、及びリブが、多孔質材料から形成されたシート部材として一体形成されている、内側シェルである。
【００５８】
項目６は、平坦な部分が、湾曲部分のピーク領域に形成されている、内側シェルである。
【００５９】
項目７は、平坦な部分が、内側シェルの水平方向中心線又は内側シェルの垂直方向中心線から一方の側へ傾くように形成されている、内側シェルである。
【００６０】
項目８は、平坦な部分に穿孔が形成されている、内側シェルである。
【００６１】
項目９は、円周部分、湾曲部分、及びリブが、シート部材をホットプレスすることによって形成されている、内側シェルである。
【００６２】
項目１０は、複数のリブ間に凹面部分が形成され、凹面部分が、その幅が円周部分に向かって累進的に増大するように設けられている、内側シェルである。
【００６３】
項目１１は、シート部材が、不織布によって提供されている、内側シェルである。
【００６４】
項目１２は、不織布が、ポリエステル短繊維から形成されている、内側シェルである。
【００６５】
項目１３は、項目１〜１２の内側シェルと、内側シェルの外面に結合されたフィルタ構造とを含むマスクである。
【００６６】
項目１４は、項目５〜８の内側シェルと、内側シェルの外面に結合されたフィルタ構造と、フィルタ構造に結合された弁とを含み、平坦な部分が、弁に対応する位置に形成されている、マスクである。
【００６７】
項目１５は、平坦な部分が、弁及びフィルタ構造が接触する領域より大きい領域を有するように形成されている、マスクである。
【００６８】
本開示の内側シェル及び内側シェルを含むマスクについて、本開示の特有の実施形態を参照して説明したが、これらの実施形態は単なる例示である。本開示は、これらの実施形態に限定されるものではなく、本明細書に開示する基本的な概念に従って可能限り広い範囲を有すると解釈されるべきである。当業者であれば、本明細書に開示する実施形態を組み合わせる／置き換えることができ、本明細書に記載されていないパターンでこれらの実施形態を実施することができ、そのようなパターンも本開示の範囲内である。加えて、当業者であれば、本明細書に基づいて、本明細書に開示する実施形態を容易に変更又は修正することができる、そのような変更又は修正も本開示の範囲に属することが明らかである。
【符号の説明】
【００６９】
１  マスク
１００  フィルタ構造
１００ａ  円周部分
１１０  フィルタ層
１２０  カバーウェブ
１３０  ストラップ
１４０  弁
１５０  開口
１５０ａ  開口
１５０ｂ  開口
２００  内側シェル
２００ａ  円周部分
２００ｂ  湾曲部分
２１０  リブ
２２０  凹面部分
２３０  平坦な部分
２３０ａ  穿孔
３００  顔付着部分
ｄ１  厚さ
Ｌ１  垂直方向中心線
Ｌ２  水平方向中心線
【図１】
2019088785.tif 000003
【図２】
2019088785.tif 000004
【図３】
2019088785.tif 000005
【図４】
2019088785.tif 000006
【図５】
2019088785.tif 000007
【図６】
2019088785.tif 000008
【図７】
2019088785.tif 000009
【図８】
2019088785.tif 000010
【図９】
2019088785.tif 000011
【図１０】
2019088785.tif 000012
【図１１Ａ】
2019088785.tif 000013
【図１１Ｂ】
2019088785.tif 000014
【外国語明細書】
2019088785000001.pdf